(57)【要約】【課題】移動局装置が既知の固定ルート上を移動中であるか否かを判定するための手段を提供する。【解決手段】基地局装置２は、移動局装置４が固定ルート７上の場所を通過したか否かを示す状態情報を受信する受信部５１と、基地局装置２により形成されるセル６へハンドオーバする移動局装置４に関して受信される状態情報が、固定ルート７上の場所を移動局装置４が通過したことを示す場合に、移動局装置４が固定ルート７上を移動中であると判定する判定部５２と、を備える。【選択図】図１
2012114570.tif 000002
【特許請求の範囲】
【請求項１】
基地局装置であって、
移動局装置が固定ルート上の場所を通過したか否かを示す状態情報を受信する受信部と、
前記基地局装置により形成されるセルへハンドオーバする前記移動局装置に関して受信される前記状態情報が、前記固定ルート上の場所を前記移動局装置が通過したことを示す場合に、前記移動局装置が前記固定ルート上を移動中であると判定する判定部と、
を備える基地局装置。
【請求項２】
ハンドオーバの予定発生時刻と各予定発生時刻でハンドオーバする移動局装置の予定速度とを対応付けた速度情報を格納する記憶部を備え、
前記判定部は、ハンドオーバ発生時刻に応じて、前記速度情報に基づき前記移動局装置の移動速度を推定することを特徴とする請求項１に記載の基地局装置。
【請求項３】
前記判定部は、ハンドオーバ発生時刻からの経過時間と推定された前記移動速度に基づいて前記移動局装置の現在位置を推定することを特徴とする請求項２に記載の基地局装置。
【請求項４】
推定された前記現在位置に応じて前記移動局装置の動作を制御する制御情報を生成する制御情報生成部と、
前記制御情報を前記移動局装置へ送信する送信部と、
を備える請求項３に記載の基地局装置。
【請求項５】
推定された前記現在位置に位置する前記移動局装置へ提供するサービスのためのデータを前記移動局装置へ送信する送信部を備える請求項３に記載の基地局装置。
【請求項６】
前記記憶部には、前記固定ルート上を各移動速度で移動する移動局装置において予定される受信品質をハンドオーバ発生時刻からの経過時間毎に規定する品質情報が格納され、
前記判定部は、前記品質情報に基づき、推定された前記移動速度又はハンドオーバ発生時刻と、ハンドオーバ発生時刻からの経過時間とに応じて、前記移動局装置と基地局装置との間の通信の受信品質を推定することを特徴とする請求項２に記載の基地局装置。
【請求項７】
推定された前記受信品質に応じて前記移動局装置の動作を制御する制御情報を生成する制御情報生成部と、
前記制御情報を前記移動局装置へ送信する送信部を備える請求項６に記載の基地局装置。
【請求項８】
前記記憶部には、前記固定ルート上を各移動速度で移動する移動局装置が前記基地局装置に連続して接続することが予定される接続時間を規定する接続時間情報が格納され、
前記判定部は、推定された前記移動速度又はハンドオーバ発生時刻に応じて前記接続時間情報に基づいて規定される接続時間を前記移動局装置の実際の接続時間が超える場合に、前記移動局装置が前記固定ルートから外れていると判定することを特徴とする請求項２に記載の基地局装置。
【請求項９】
前記移動局装置の移動速度を測定する速度測定部と、
複数日の同じ時刻にハンドオーバした移動局装置の速度の測定値に基づいて各時刻にハンドオーバする移動局装置の移動速度を推定し、前記速度情報を生成する速度情報生成部と、
を備える請求項２に記載の基地局装置。
【請求項１０】
前記移動局装置の移動速度を測定する速度測定部と、
各移動速度の移動局装置において逐次測定された受信品質に基づいて、各移動速度の移動局装置についてハンドオーバ発生時刻からの経過時間毎の受信品質を推定することにより、前記品質情報を生成する品質情報生成部と、
を備える請求項６に記載の基地局装置。
【請求項１１】
前記移動局装置の移動速度を測定する速度測定部と、
前記固定ルート上を移動する移動局装置が前記基地局装置に連続して接続する接続時間を測定する接続時間測定部と、
各移動速度の移動局装置について測定された接続時間に基づいて各移動速度毎の接続時間を推定し、前記接続時間情報を生成する接続時間情報生成部と、
を備える請求項８に記載の基地局装置。
【請求項１２】
固定ルート上の場所に設置されたマーカ装置から送信された制御情報を受信する通信部と、
前記制御情報を受信することにより状態情報の値を遷移させる制御部と、
ハンドオーバ時に、ハンドオーバ先の基地局装置へ前記状態情報を送信する送信部と、
を備える移動局装置。
【請求項１３】
基地局装置と移動局装置を有する通信システムであって、
前記基地局装置は、
前記移動局装置が固定ルート上の場所を通過したか否かを示す状態情報を受信する受信部と、
前記基地局装置により形成されるセルへハンドオーバする前記移動局装置に関して受信される前記状態情報が、前記固定ルート上の場所を前記移動局装置が通過したことを示す場合に、前記移動局装置が前記固定ルート上を移動中であると判定する判定部と、
を備える通信システム。
【請求項１４】
移動局装置が固定ルート上の場所を通過したか否かを示す状態情報を基地局装置にて受信し、
前記基地局装置により形成されるセルへハンドオーバする前記移動局装置に関して受信した前記状態情報が、前記固定ルート上の場所を前記移動局装置が通過したことを示す場合に、前記移動局装置が前記固定ルート上を移動中であると判定する、
ことを特徴とする通信方法。
【発明の詳細な説明】
【技術分野】
【０００１】
本明細書で論じられる実施態様は、基地局装置による移動局装置の動作やサービスの制御方法に関する。
【背景技術】
【０００２】
移動通信システムにおいて、移動局装置の移動の態様に応じて移動局装置の動作や移動局装置に対する提供サービスを切り替えることが便利な場合がある。例として、移動局装置が既知の固定ルートを移動する場合がある。このような場合には移動局装置の移動先を予測できるため、例えばスケジューリング制御や移動局装置の状態制御に予測結果を利用することができる。また、移動局装置の移動先に応じたサービスを提供するために予測結果を使用することも可能である。
【０００３】
なお、移動通信システムにおいて、ユーザが電車に乗る際に駅構内の改札口に設置された特定の無線基地局から位置制御信号を受信すると、携帯端末の制御部が、通常の動作モードから特定空間モードへと動作モードを切り替えることが提案されている。
【０００４】
また、無線携帯端末から管理サーバへ周期的に位置情報を報告する移動通信システムが提案されている。管理サーバは、無線携帯端末が移動体内にあるか否かを判断する判断手段と、判断手段の判断結果に応じて無線携帯端末の通信モードを切替える切替手段と、移動体の運行情報と位置情報とを基に無線携帯端末にハンドオーバを指示する手段とを有する。
【先行技術文献】
【特許文献】
【０００５】
【特許文献１】特開平１０−３２２７４７号公報
【特許文献２】特開２００４−１７２９２０号公報
【発明の概要】
【発明が解決しようとする課題】
【０００６】
鉄道のような固定ルート上を移動局装置が移動するか否かを判断する方法の例として、改札口に設置された無線基地局からの位置制御信号の受信の有無に応じてユーザが電車に乗るか否かを判断することが考えられる。しかし、改札を通過したユーザがすぐに電車に乗るとは限らないため、移動局装置が固定ルート上を移動するか否かを判断する方法としてはこの方法は不十分である。
【０００７】
固定ルート上を移動局装置が移動するか否かの判断方法の例として、移動局装置から周期的に送信される位置情報を利用して、移動局装置が電車内にあるか否かを判断することも考えられる。この場合には移動局装置に測位手段が必要となり、また位置情報の送信のために無線リソースが消費される。
【０００８】
実施態様に係る装置及び方法は、移動局装置が既知の固定ルート上を移動中であるか否かを判定するための手段を提供することを目的とする。
【課題を解決するための手段】
【０００９】
ある実施態様による基地局装置は、移動局装置が固定ルート上の場所を通過したか否かを示す状態情報を受信する受信部と、基地局装置により形成されるセルへハンドオーバする移動局装置に関して受信される状態情報が、固定ルート上の場所を移動局装置が通過したことを示す場合に、移動局装置が固定ルート上を移動中であると判定する判定部と、を備える。
【００１０】
他の実施態様による移動局装置は、固定ルート上の場所に設置されたマーカ装置から送信された制御情報を受信する通信部と、制御情報を受信することにより状態情報の値を遷移させる制御部と、ハンドオーバ時に、ハンドオーバ先の基地局装置へ状態情報を送信する送信部と、を備える。
【発明の効果】
【００１１】
本件開示の装置又は方法によれば、移動局装置が既知の固定ルート上を移動中であるか否かを判定するための手段が提供される。
【図面の簡単な説明】
【００１２】
【図１】通信システムの第１例の構成図である。
【図２】固定ルートとセルの位置関係の第１例の説明図である。
【図３】ユーザ装置のハードウエア構成例の説明図である。
【図４】ユーザ装置の機能ブロック図である。
【図５】基地局装置のハードウエア構成例の説明図である。
【図６】基地局装置の第１例の機能ブロック図である。
【図７】通信システム内の処理の第１例の説明図である。
【図８】ユーザ装置制御処理の第１例の説明図である。
【図９】基地局装置の第２例の機能ブロック図である。
【図１０】ルート情報の第１例の説明図である。
【図１１】ユーザ装置制御処理の第２例の説明図である。
【図１２】ルート情報の第２例の説明図である。
【図１３】ユーザ装置制御処理の第３例の説明図である。
【図１４】ルート情報の第３例の説明図である。
【図１５】ユーザ装置制御処理の第４例の説明図である。
【図１６】ルート情報の第４例の説明図である。
【図１７】通信システム内の処理の第２例の説明図である。
【図１８】ユーザ装置制御処理の第５例の説明図である。
【図１９】通信システムの第２例の構成図である。
【図２０】基地局装置の第３例の機能ブロック図である。
【図２１】通信システム内の処理の第３例の説明図である。
【図２２】基地局装置の第４例の機能ブロック図である。
【図２３】通信システム内の処理の第４例の説明図である。
【図２４】固定ルートとセルの位置関係の第２例の説明図である。
【図２５】ルート情報の第５例の説明図である。
【図２６】通信システムの第３例の構成図である。
【図２７】基地局装置の第５例の機能ブロック図である。
【図２８】通信システム内の処理の第５例の説明図である。
【発明を実施するための形態】
【００１３】
以下、添付する図面を参照して本発明の実施例について説明する。図１は、通信システムの第１例の構成図である。通信システム１は、基地局装置２−１及び２−２と、通信ネットワーク３と、移動局装置としてのユーザ装置（ＵＥ：User Equipment）４と、マーカ装置５を備える。
【００１４】
基地局装置２−１及び２−２は、有線ネットワークである通信ネットワーク３とユーザ装置４との間のデータの送信のために、ユーザ装置４との間で無線通信を行う。基地局装置２−１及び２−２は、それぞれセル６−１及び６−２を形成する。通信システム１は、基地局装置２−１及び２−２をそれぞれ通信システム１へ接続する上位ノード装置や、基地局装置２−１及び２−２を制御する制御装置を備えていてもよい。なお、以下の説明において基地局装置２−１及び２−２を総称して「基地局装置２」と表記することがある。また以下の説明においてセル６−１及び６−２を総称して「セル６」と表記することがある。
【００１５】
セル６の圏内には固定ルート７が敷設されている。固定ルートとは、ユーザ装置４が移動する一定の移動経路であり、例えば、鉄道やバスの路線であってよい。また、固定ルートは、例えばユーザを運ぶ移動体が定期的に運行される交通機関の路線であってよい。
【００１６】
マーカ装置５は、固定ルート７上またはその近傍に設置され、所定の状態制御情報を発信する。マーカ装置５は、例えば、ユーザ装置４を所持するユーザが固定ルート７上の移動を開始または終了する際に通過する地点やゲートに設置されてよい。例えば固定ルート７が鉄道である場合には、例えばマーカ装置５は改札口に設けられていてよい。例えばマーカ装置５は自動改札機であってよい。また例えば固定ルート７が路線バスである場合には、マーカ装置５はバスの停留所に設けられてもよい。
【００１７】
図２は、固定ルート７とセル６の位置関係の第１例の説明図である。添付図面及び以下の説明において、基地局装置２を「ＢＳ」と表記し、ユーザ装置を「ＵＥ」と表記することがある。セル６−１〜６−３はそれぞれ基地局装置２−１〜２−３によって形成されており、セル６−１とセル６−２が隣接し、セル６−２とセル６−３が隣接する。
【００１８】
固定ルート７は、セル６−１〜６−３を通過する。固定ルート７上の地点８−１及び８−３又はこれらの近傍には、それぞれマーカ装置５−１及びマーカ装置５−３が設けられる。地点８−１及び８−３は、それぞれセル６−１及び６−３内にある。例えば固定ルートが鉄道である場合には、地点８−１及び８−３はユーザが電車を乗降する駅の改札の出入り口であってよい。
【００１９】
以下の説明において、ユーザ装置４を所持するユーザが、地点８−１において固定ルート７上の移動を開始し、セル６−２を通過後に地点８−３において固定ルート７上の移動を終了する場合について想定する。このようなシナリオは、例えばユーザが、地点８−１にある駅で電車に乗車し、地点８−３にある駅で電車から降車する場合であってよい。
【００２０】
ユーザ装置４について以下に説明する。図３は、ユーザ装置４のハードウエア構成例の説明図である。ユーザ装置４は、ＣＰＵ２０と、記憶部２１と、インタフェース２２と、音声処理部２３と、ベースバンド信号処理部２４と、無線通信部２５と、アンテナ２６と、通信部２７を備える。ＣＰＵ２０、メモリ２１、インタフェース２２、音声処理部２３、ベースバンド信号処理部２４及び通信部２７は、それぞれバス２８によって接続されている。なお、以下の説明及び図面ではベースバンドを「ＢＢ」と表記することがある。
【００２１】
ＣＰＵ２０は、記憶部２１に格納された制御プログラムを実行することにより、ユーザ装置４の動作を制御する。記憶部２１は、ＣＰＵ２０による制御プログラムの実行に必要なデータを記憶し、またこれらプログラムの実行の際に生成される一時的なデータを記憶する。記憶部２１は、例えばメモリ、ハードディスクや不揮発性メモリなどにより実現される記憶装置である。
【００２２】
インタフェース２２は、ユーザによるユーザ装置４への入力の受付及び情報の出力を行う。例えばインタフェース２２は、キーパッド、キーボード、カーソルボタン、スクロールホイール、タッチパネル、マイクロホン、スピーカ、ディスプレイ等のユーザインタフェースである。
【００２３】
音声処理部２３は、インタフェース２２としてのマイクロホンから入力した音声信号をデジタル信号へ変換し、またはユーザ装置４が取り扱うデジタル形式の音声データを、インタフェース２２としてのスピーカから出力する音声信号へ変換する。
【００２４】
ベースバンド信号処理部２４は、無線通信部２５により送信される又は受信される信号に対して、変調前及び復調後に信号処理を行う。無線通信部２５は、基地局装置２からユーザ装置４へ送信される無線信号をアンテナ２６を介して受信し、またユーザ装置４から基地局装置２へ送信される無線信号をアンテナ２６を介して送信する。
【００２５】
通信部２７は、マーカ装置５から送信される状態制御情報を受信する。例えば、通信部２７は、非接触ＩＣカードに採用される短距離無線通信をマーカ装置５との間で行ってもよい。例えば、状態制御情報の受信は、自動改札機による改札処理、又はその一部として実行されてよく、改札処理と同時かつ別個に行われてもよい。
【００２６】
図４は、ユーザ装置４の機能ブロック図である。同図は、実施態様に関係する機能を中心として示している。ユーザ装置４は、通信部３０と、制御部３１と、ハンドオーバ処理部３２と、送信部３３と、受信部３４を備える。通信部３０は、マーカ装置５から送信される状態制御情報を受信する。通信部３０と受信部３４は同一の構成要素であってもよい。
【００２７】
ユーザ装置４が第１状態である間に、通信部３０が状態制御情報を受信したとき、制御部３１は、ユーザ装置４の状態について記憶している状態情報の値を第１状態から第２状態へ遷移させる。第１状態は、例えばユーザ装置４が固定ルート上を移動していない状態であってよい。また、第２状態は、ユーザ装置４が固定ルート上を移動する可能性があるか、固定ルート上を移動している状態であってよい。
【００２８】
また、ユーザ装置４が第２状態である間に状態通信部３０が状態制御情報を受信したとき、制御部３１は、ユーザ装置４の状態情報の値を第２状態から第１状態へ遷移させる。同じマーカ装置５からの状態制御情報によってユーザ装置４の状態が交番しないように、制御部３１は、一度状態を遷移した後の所定期間内は、次の遷移を禁止してもよい。または、同じマーカ装置５からの状態制御情報であるか否かを判定するために、状態制御情報はマーカ装置５の識別子を含んでいてよい。
【００２９】
ハンドオーバ処理部３２は、あるセルから他のセルへユーザ装置４がハンドオーバする際のユーザ装置４側の処理を実施する。送信部３３は、ハンドオーバ処理部３２によるハンドオーバ処理が実施されるとき、ユーザ装置４が第１状態及び第２状態のいずれであるかを示す状態情報をハンドオーバ先の基地局装置２へ送信する。例えば送信部３３は、ユーザ装置４が基地局装置２へハンドオーバの実施を要求するハンドオーバリクエスト情報の追加情報として、状態情報を送信してよい。送信部３３は、ハンドオーバリクエスト情報とは別に状態情報を送信してもよい。
【００３０】
また送信部３３は、ユーザ装置４の状態が第２状態から第１状態へ遷移するとき、接続中の基地局装置２へ状態情報を送信する。
【００３１】
受信部３４は、ユーザ装置４と接続されている基地局装置２から、ユーザ装置４の動作を制御する制御情報を受信する。制御情報は、例えばユーザ装置４に割り当てられた無線リソースを指定するスケジュール情報であってよく、通信方式、符号化率、通信レートを指定する情報であってよい。
【００３２】
制御情報は、ユーザ装置４の動作状態を制御する動作状態制御信号であってもよい。動作状態制御信号は、例えばユーザ装置４の動作モードをサイレントモードやユーザ指定の任意の動作モードに切り替える信号であってよい。動作状態制御信号は、ユーザ装置４のオン／オフを切り替える制御信号であってよい。制御部３１は、受信部３４により受信された制御情報に従ってユーザ装置４の動作を制御する。
【００３３】
また、受信部３４は、基地局装置２から送信される、ユーザ装置４のユーザ向けのサービスのために提供されるデータを受信する。このデータは、例えば固定ルート７が通過する地域に関する種々の情報であってよい。この情報は、例えば店舗情報や行政サービス、観光情報などでよい。
【００３４】
次に基地局装置２について説明する。図５は、基地局装置２のハードウエア構成例の説明図である。基地局装置２は、制御部４０と、無線通信部４１と、アンテナ４２と、ベースバンド信号処理部４３と、ネットワークインタフェース４４を備える。制御部４０は、基地局装置２の動作を制御する。
【００３５】
無線通信部４１は、基地局装置２からユーザ装置４へ送信される無線信号をアンテナ４２を介して送信し、またユーザ装置４から基地局装置２へ送信される無線信号をアンテナ４２を介して受信する。ベースバンド信号処理部４３は、無線通信部４１により送信される又は受信される信号に対して、変調前及び復調後に信号処理を行う。ネットワークインタフェース４４は、基地局装置２を通信システム１へ接続する上位ノード装置や、基地局装置２を制御する制御装置、または他の基地局装置との間のインタフェースである。
【００３６】
図６は、基地局装置２の第１例の機能ブロック図である。同図は、実施態様に関係する機能を中心として示している。以下に説明する基地局装置２の他の例の機能ブロック図においても同様である。基地局装置２は、ハンドオーバ処理部５０と、受信部５１と、ユーザ装置制御部５２と、送信部５３と、を備える。なお、本実施例の構成要素を後続の他の実施例と組み合わせてもよい。ユーザ装置制御部５２は、特許請求の範囲に記載の判定部の一例として挙げられる。
【００３７】
ハンドオーバ処理部５０は、基地局装置２が形成するセル６へ入ってくるユーザ装置４及び基地局装置２が形成するセル６から出て行くユーザ装置４のためのハンドオーバ処理を実施する。受信部５１は、ハンドオーバの際にユーザ装置４から送信される状態情報を受信する。
【００３８】
ユーザ装置制御部５２は、基地局装置２が形成するセル６へハンドオーバするユーザ装置４が第１状態及び第２状態のいずれであるかを判定する。ユーザ装置制御部５２は、ユーザ装置４が第２状態である場合、ユーザ装置４が固定ルート７上を移動していると判定する。
【００３９】
ユーザ装置制御部５２は、判定結果に応じた、ユーザ装置４の動作を制御する制御情報を生成してよい。送信部５３は、ユーザ装置制御部５２により生成された制御情報をユーザ装置４へ送信してよい。また、ユーザ装置制御部５２は判定結果に応じてユーザ装置４との間の無線通信の無線リソース、通信方式、符号化率、通信レートなどを制御してもよい。
【００４０】
また、ユーザ装置４が固定ルート７上を移動していると判定されるとき、基地局装置２は固定ルート７上を移動中のユーザ向けのサービスのために提供されるデータを、ユーザ装置４へ送信してもよい。
【００４１】
続いて、通信システム１内の処理手順を説明する。図７は、通信システム１内の処理の第１例の説明図である。なお、他の実施態様においては、下記のオペレーションＡＡ〜ＡＫの各オペレーションはステップであってもよい。
【００４２】
ユーザ装置４は、セル６−１内に位置しており、基地局装置２−１と接続中である。またユーザ装置４は第１状態にある。オペレーションＡＡにおいてユーザが、マーカ装置５−１が設けられた地点８−１に至ると、通信部３０は、マーカ装置５−１から送信された状態制御情報を受信する。オペレーションＡＢにおいて制御部３１は、ユーザ装置４の状態について記憶している状態情報の値を第１状態から第２状態へ遷移させる。
【００４３】
その後、ユーザ装置４はセル６−２内へ移動する。オペレーションＡＣにおいてユーザ装置４のハンドオーバ処理部３２及び基地局装置２−２のハンドオーバ処理部５０は、セル６−１からセル６−２へユーザ装置４がハンドオーバするための処理を実施する。
【００４４】
オペレーションＡＤにおいてユーザ装置４の送信部３３は、ユーザ装置４が第２状態であることを示す状態情報を基地局装置２−２へ送信する。基地局装置２−２の受信部５１は状態情報を受信する。また、ユーザ装置４と基地局装置２−２との接続が確立する。
【００４５】
オペレーションＡＥにおいて基地局装置２−２のユーザ装置制御部５２は、以下に説明するユーザ装置制御処理を実施する。図８は、図７に示すユーザ装置制御処理の第１例の説明図である。なお、他の実施態様においては、下記のオペレーションＢＡ〜ＢＣの各オペレーションはステップであってもよい。
【００４６】
オペレーションＢＡにおいてユーザ装置制御部５２は、受信された状態情報に基づいて、ユーザ装置４が第２状態であるか否かを判定する。ユーザ装置４が第２状態である場合（オペレーションＢＡ：Ｙ）、処理はオペレーションＢＢへ進む。ユーザ装置４が第２状態でない場合（オペレーションＢＢ：Ｎ）、処理はオペレーションＢＣへ進む。
【００４７】
オペレーションＢＢにおいてユーザ装置制御部５２は、ユーザ装置４が固定ルート７上を移動していると判定する。オペレーションＢＣにおいてユーザ装置制御部５２は、ユーザ装置４が固定ルート７上を移動していないと判定する。
【００４８】
その後、ユーザ装置制御部５２は、判定結果に応じた、ユーザ装置４の動作を制御する。また、ユーザ装置４が固定ルート７上を移動していると判定されるとき、基地局装置２は固定ルート７上を移動中のユーザ向けのサービスのために提供されるデータを、ユーザ装置４へ送信してもよい。
【００４９】
図７を参照する。その後、ユーザ装置４はセル６−３内へ移動する。オペレーションＡＦにおいてユーザ装置４のハンドオーバ処理部３２及び基地局装置２−３のハンドオーバ処理部５０は、セル６−２からセル６−３へユーザ装置４がハンドオーバするための処理を実施する。
【００５０】
オペレーションＡＧにおいてユーザ装置４の送信部３３は、ユーザ装置４が第２状態であることを示す状態情報を基地局装置２−３へ送信する。基地局装置２−３の受信部５１は状態情報を受信する。また、ユーザ装置４と基地局装置２−３との接続が確立する。オペレーションＡＨにおいて基地局装置２−３のユーザ装置制御部５２は、上述のユーザ装置制御処理を実施する。
【００５１】
オペレーションＡＩにおいてユーザが、マーカ装置５−３が設けられた地点８−３に至ると、通信部３０は、マーカ装置５−３から送信された状態制御情報を受信する。オペレーションＡＪにおいて制御部３１は、ユーザ装置４の状態について記憶している状態情報の値を第２状態から第１状態へ遷移させる。オペレーションＡＫにおいて送信部３３は、ユーザ装置４の送信部３３は、ユーザ装置４が第１状態であることを示す状態情報を基地局装置２−３へ送信する。基地局装置２−３の受信部５１は状態情報を受信する。
【００５２】
本実施例によれば、基地局装置２はユーザ装置４が既知の固定ルート上を移動中であるか否かを判定することができる。このため基地局装置２、ユーザ装置４の移動先を予測できるようになり、予測結果を、例えばスケジューリング制御やユーザ装置の状態制御に利用することができる。また、この予測結果は、ユーザ装置４の移動先に応じたサービスを提供するために使用することも可能である。
【００５３】
本実施例では、ユーザ装置４が既知の固定ルート上を移動中であるか判定を、単にマーカ装置５の近辺を通過したことだけでなく、マーカ装置５からある程度離れた固定ルート７上の他の地点に至ったことをセル間のハンドオーバによって検出する。このため、ユーザ装置４が固定ルート上を移動しているか否かの判定精度を高めることができる。
【００５４】
また本実施例では、ユーザ装置４は位置情報を基地局装置２へ送信しなくともよい。このため、測位手段を持たないユーザ装置４も利用可能となり、また位置情報の送信のために無線リソースを消費しなくともよい。
【００５５】
続いて基地局装置２の他の実施例を説明する。図９は、基地局装置２の第２例の機能ブロック図である。基地局装置２は、先行して説明した他の実施例の構成要素と同様の構成要素を有しており、他の実施例の構成要素と同様の構成要素には同じ参照符号を付し、同一の機能については説明を省略する。基地局装置２は、記憶部５４を備える。なお、本実施例の構成要素を後続の他の実施例と組み合わせてもよい。
【００５６】
記憶部５４には、ルート情報が格納されている。ルート情報は、固定ルート７上を移動し、且つ基地局装置２が形成するセル６へハンドオーバするユーザ装置４のハンドオーバ元の基地局装置を指定する情報を含む。すなわちルート情報は、固定ルート７が通過する、セル６の隣接セルを形成する基地局装置を指定する情報を含む。図１０は、記憶部５４に記憶されたルート情報の第１例の説明図である。
【００５７】
図１０の例は、図２に示すセル配置の場合に基地局装置２−２において記憶されるルート情報の例を示す。ルート情報には、固定ルート７が通過する隣接セル６−１及び６−３をそれぞれ形成する基地局装置２−１及び２−３の識別子が記憶される。
【００５８】
図９を参照する。ユーザ装置制御部５２は、ユーザ装置４のハンドオーバ元の基地局装置の識別子が、記憶部５４に記憶されたルート情報に含まれるか否かを判定する。ユーザ装置４のハンドオーバ元の基地局装置を識別する情報は、例えばハンドオーバ処理部５０が、ハンドオーバ元の基地局装置や上位の制御装置から通信ネットワーク３を介して受信してよく、ユーザ装置４から直接受信してもよい。
【００５９】
図１１は、ルート情報を用いたユーザ装置制御処理の説明図である。なお、他の実施態様においては、下記のオペレーションＢＡ〜ＢＥの各オペレーションはステップであってもよい。図１１の処理は、図８を参照して説明した処理にオペレーションＢＤ及びＢＥを追加したものである。以下、ユーザ装置４がセル６−２へハンドオーバした場合の処理を説明する。
【００６０】
オペレーションＢＡにおいてユーザ装置４が第２状態である場合（オペレーションＢＡ：Ｙ）、処理はオペレーションＢＤへ進む。ユーザ装置４が第２状態でない場合（オペレーションＢＢ：Ｎ）、処理はオペレーションＢＣへ進む。
【００６１】
オペレーションＢＤにおいてユーザ装置制御部５２は、ユーザ装置４のハンドオーバ元の基地局装置を識別する情報を取得する。
【００６２】
オペレーションＢＥにおいてユーザ装置制御部５２は、ユーザ装置４のハンドオーバ元の基地局装置２−１の識別子が、記憶部５４に記憶されたルート情報に含まれるか否かを判定する。基地局装置２−１の識別子がルート情報に含まれる場合（オペレーションＢＥ：Ｙ）、処理はオペレーションＢＢに進む。基地局装置２−１の識別子がルート情報に含まれる場合（オペレーションＢＥ：Ｎ）、処理はオペレーションＢＣに進む。
【００６３】
本実施例によれば、第２状態にあるユーザ装置４がハンドオーバしたか否かの条件だけではなく、固定ルート７が通過する隣接セル６からユーザ装置４がハンドオーバしたか否かも判定する。このため本実施例によれば、ハンドオーバするユーザ装置４が固定ルート７上の移動を開始していないにも関わらず不慮の原因により第２状態にある場合に、固定ルート上を移動していると誤判定することを防止できる。
【００６４】
続いて基地局装置２の他の実施例を説明する。固定ルート７上でユーザ装置４を運ぶ移動体が定期的にセル６を通過し、かつ通過時の移動速度が定まっている場合には、ハンドオーバが１日のうちの何時何分に発生するかによって、ユーザ装置４の速度と位置を推定することができる。例えば固定ルート７が鉄道の場合には、電車は毎日決まった時刻及び決まった速度で運行されており、ハンドオーバが発生する時刻は規則的であると考えられる。
【００６５】
本実施例では、記憶部５４に格納されたルート情報は、１日のうちでハンドオーバが発生する予定発生時刻と、各予定発生時刻でハンドオーバするユーザ装置４の予定速度とを対応付けた速度情報を含む。なお、本実施例の構成要素を後続の他の実施例と組み合わせてもよい。
【００６６】
図１２は、速度情報を含んだルート情報の例の説明図である。図１２の例は、図１０と同様に図２に示すセル配置の場合に基地局装置２−２において記憶されるルート情報の例を示す。ルート情報は、ハンドオーバ元の基地局装置とユーザ装置４の移動方向とを対応付けた移動方向情報を有する。また、ルート情報は、ハンドオーバ元の基地局装置毎にハンドオーバの予定発生時刻と、各予定発生時刻でハンドオーバするユーザ装置４の予定速度とを対応付けた速度情報を有する。
【００６７】
例えば、基地局２−１が形成するセル６−１からＡ時Ｂ分及びＣ時Ｄ分にハンドオーバする予定のユーザ装置４の予定速度は時速１２０ｋｍであり移動方向は第１方向である、Ｅ時Ｆ分にハンドオーバする予定のユーザ装置４の予定速度は時速８０ｋｍであり、移動方向は第１方向である。また、基地局２−３が形成するセル６−３からハンドオーバするユーザ装置４の移動方向は、第１方向と反対方向の第２方向である。例えば、固定ルート７が鉄道の例の場合、第１方向及び第２方向の種別は、「上り」及び「下り」などの線別であってよい。
【００６８】
ユーザ装置制御部５２は、ハンドオーバ元の基地局装置２の識別子に応じて移動方向の値を移動方向情報から読み出す。また、ユーザ装置制御部５２は、ユーザ装置４のハンドオーバ元の基地局装置２の識別子とハンドオーバ発生時刻に応じて、これらの情報に各々対応付けて記憶された速度の値を速度情報から読み出す。ユーザ装置制御部５２は、読み出した速度の値にハンドオーバ発生時刻から現在時刻までの経過時間を乗じてハンドオーバ後の移動距離を決定する。ユーザ装置制御部５２は、ハンドオーバが発生したセル６の境界地点から固定ルート７に沿って、読み出した方向に移動距離分進んだ地点を、ユーザ装置４の現在位置と推定する。
【００６９】
ユーザ装置制御部５２は、推定した現在位置に応じてユーザ装置４の動作を制御する制御情報を生成してよい。送信部５３は、推定した現在位置に応じて生成された制御情報をユーザ装置４へ送信してよい。基地局装置２は、推定した現在位置にいるユーザ向けのサービスのために提供されるデータを、ユーザ装置４へ送信してもよい。このサービスは、例えばユーザ装置４の現在位置から見える景色に関する音声ガイダンスであってよい。またこのサービスは、例えば現在位置に近い店舗の情報や現在位置から利用しやすい行政サービス情報や観光情報の提供サービスであってよい。
【００７０】
図１３は、ユーザ装置４の現在位置を推定するユーザ装置制御処理の説明図である。なお、他の実施態様においては、下記のオペレーションＢＡ〜ＢＨの各オペレーションはステップであってもよい。図１３の処理は、図１１を参照して説明した処理にオペレーションＢＦ〜ＢＨを追加したものである。
【００７１】
ユーザ装置４が固定ルート７上を移動しているとき、オペレーションＢＦにおいてユーザ装置制御部５２は、ハンドオーバ元の基地局装置２の識別子とハンドオーバ発生時刻に応じて、記憶部５４に記憶された速度情報に基づきユーザ装置４の速度を判定する。また、ユーザ装置制御部５２は、ハンドオーバ元の基地局装置２の識別子に応じて、記憶部５４に記憶された移動方向情報に基づいてユーザ装置４の移動方向を判定する。
【００７２】
オペレーションＢＧにおいてユーザ装置制御部５２は、判定した速度の値にハンドオーバ発生時刻からの経過時間を乗じてハンドオーバ後の移動距離を決定する。ユーザ装置制御部５２は、ハンドオーバが発生したセル６の境界地点と移動距離と移動方向に基づいてユーザ装置４の現在位置を推定する。
【００７３】
オペレーションＢＨにおいてユーザ装置制御部５２は、推定した現在位置に応じてユーザ装置４の動作を制御する制御情報を生成する。送信部５３は、推定した現在位置に応じて生成された制御情報をユーザ装置４へ送信する。基地局装置２は、推定した現在位置にいるユーザ向けのサービスのために提供されるデータを、ユーザ装置４へ送信してもよい。
【００７４】
本実施例によれば、基地局装置２は、セル６内のユーザ装置４の現在位置を推定することが可能となる。このため基地局装置２は、ユーザ装置４の現在位置に応じてユーザ装置４の動作を制御し、またユーザ装置４の現在位置に応じたサービスを提供することが可能となる。
【００７５】
続いて基地局装置２の他の実施例を説明する。ユーザ装置４の移動速度４が判定できることによって、ハンドオーバ発生後のユーザ装置４の位置に応じたユーザ装置４の受信品質の変動を予測することができる。
【００７６】
本実施例では、記憶部５４に格納されたルート情報は、ハンドオーバ元の基地局装置２のそれぞれについて、ハンドオーバ時刻後の各経過時間においてそれぞれ予定されるユーザ装置４の受信品質を、各移動速度毎に規定する品質情報を含む。なお、本実施例の構成要素を後続の他の実施例と組み合わせてもよい。
【００７７】
図１４は、品質情報を含んだルート情報の例の説明図である。図１４の例は、図１２と同様に図２に示すセル配置の場合に基地局装置２−２において記憶されるルート情報の例を示す。ルート情報は、ハンドオーバ元の基地局装置とユーザ装置４の移動方向とを対応付けた移動方向情報を有する。ルート情報は、ハンドオーバ元の基地局装置毎に、ハンドオーバ発生時刻とユーザ装置４の速度とを対応付けた速度情報を有する。また、ルート情報は、ハンドオーバ元の基地局装置２のそれぞれについて、ハンドオーバ時刻後の各経過時間においてそれぞれ予定されるユーザ装置４の受信品質を、各移動速度毎に規定する品質情報を有する。
【００７８】
例えば、基地局２−１が形成するセル６−１から時速１２０ｋｍでハンドオーバするユーザ装置４の受信品質は、ハンドオーバ発生時刻から１、２及び３分が経過したとき、それぞれ指標値「５」、「６」及び「７」が示す品質となることが予定される。また、セル６−１から時速８０ｋｍでハンドオーバするユーザ装置４の受信品質は、ハンドオーバ発生時刻から１、２及び３分が経過したとき、それぞれ指標値「７」、「９」及び「１０」が示す品質となることが予定される。
【００７９】
ユーザ装置制御部５２は、ハンドオーバ元の基地局装置２とハンドオーバ発生時刻から判定した速度と、ハンドオーバ発生時刻からの経過時間に応じて、これらの情報に各々対応付けて記憶された受信品質の値をルート情報から読み出す。ユーザ装置４の速度はハンドオーバ発生時刻から一意に定まるので、ユーザ装置制御部５２は、ハンドオーバ元の基地局装置２とハンドオーバ発生時刻とハンドオーバ発生時刻からの経過時間に応じて受信品質の値を読み出してもよい。ユーザ装置制御部５２は、読み出した受信品質の値を、ユーザ装置４の受信品質と推定する。
【００８０】
また、図１４に示す品質情報を使用する代わりに、固定ルート７上の各位置毎の受信品質を記憶部５４に格納しておき、ユーザ装置４について推定した現在位置に応じて受信品質を推定してもよい。
【００８１】
ユーザ装置制御部５２は、推定した受信品質に応じてユーザ装置４の動作を制御する制御情報を生成してよい。送信部５３は、推定した受信品質に応じて生成された制御情報をユーザ装置４へ送信してよい。
【００８２】
図１５は、ユーザ装置４の受信品質を推定するユーザ装置制御処理の説明図である。なお、他の実施例においては、下記のオペレーションＢＡ〜ＢＩの各オペレーションはステップであってもよい。図１５のオペレーションＢＡ〜ＢＦは、図１３を参照して説明した処理のオペレーションＢＡ〜ＢＦと同様である。
【００８３】
オペレーションＢＦの後、処理はオペレーションＢＩへ進む。オペレーションＢＩにおいてユーザ装置制御部５２は、ハンドオーバ元の基地局装置２とハンドオーバ発生時刻から判定した速度と、ハンドオーバ発生時刻からの経過時間に応じて、ユーザ装置４の受信品質を推定する。その後処理はオペレーションＢＨへ進む。
【００８４】
オペレーションＢＨにおいてユーザ装置制御部５２は、推定した受信品質に応じてユーザ装置４の動作を制御する制御情報を生成する。送信部５３は、推定した受信品質に応じて生成された制御情報をユーザ装置４へ送信する。
【００８５】
本実施例によれば、基地局装置２は、セル６内のユーザ装置４の受信品質を推定することが可能となる。このため基地局装置２は、ユーザ装置４の受信品質に応じてユーザ装置４の動作を制御することが可能となる。
【００８６】
続いて基地局装置２の他の実施例を説明する。各セル６内に含まれる固定ルート７の部分長は固定値であることから、ユーザ装置４の移動速度４が判定できることによって、各速度のユーザ装置４が基地局装置２に連続して接続される時間を予測することができる。
【００８７】
したがってユーザ装置４と基地局装置２との実際の連続接続時間と予測される連続接続時間とを比較することによって、ユーザ装置４は本当に固定ルート上を移動しているか否かを判定することができる。又は、実際の連続接続時間と予測される連続接続時間とを比較することによって、ユーザ装置４が予定した速度で移動しているか否かを判定することができる。
【００８８】
本実施例では、記憶部５４に格納されたルート情報は、ハンドオーバ元の基地局装置２のそれぞれについて、固定ルート７上を各移動速度で移動するユーザ装置４が基地局装置２に連続して接続することが予定される平均接続時間を規定する接続時間情報を含む。ここに平均接続時間とは、固定ルート７上を移動するユーザ装置４が基地局装置２へ連続して接続された接続時間の平均を示す。なお、本実施例の構成要素を後続の他の実施例と組み合わせてもよい。
【００８９】
図１６は、接続時間情報を含むルート情報の説明図である。図１６の例は、図１２と同様に図２に示すセル配置の場合に基地局装置２−２において記憶されるルート情報の例を示す。ルート情報は、ハンドオーバ元の基地局装置とユーザ装置４の移動方向とを対応付けた移動方向情報を有する。ルート情報は、ハンドオーバ元の基地局装置毎にハンドオーバ発生時刻とユーザ装置４の速度とを対応付けた速度情報を有する。また、ルート情報は、ハンドオーバ元の基地局装置２のそれぞれについて、固定ルート７上を各移動速度で移動するユーザ装置４が基地局装置２に連続して接続することが予定される平均接続時間を規定する接続時間情報を有する。
【００９０】
例えば、基地局２−１が形成するセル６−１から時速１２０ｋｍでハンドオーバするユーザ装置４の平均接続時間は５分である。また、セル６−１から時速８０ｋｍでハンドオーバするユーザ装置４の平均接続時間は、７分３０秒である。
【００９１】
ユーザ装置制御部５２は、ハンドオーバ元の基地局装置２とハンドオーバ発生時刻から判定した速度に応じて、ハンドオーバ元の基地局装置２と速度に対応付けて記憶された平均接続時間の値をルート情報から読み出す。ユーザ装置４の速度はハンドオーバ発生時刻から一意に定まるので、ユーザ装置制御部５２は、ハンドオーバ元の基地局装置２とハンドオーバ発生時刻とハンドオーバ発生時刻からの経過時間に応じて平均接続時間の値を読み出してもよい。ユーザ装置制御部５２は、ユーザ装置４の実際の連続接続時間が、平均接続時間を超えているか否かを判定する。この代わりにユーザ装置制御部５２は、平均接続時間に所定マージンを加えた値を超えているか否かを判定してもよい。
【００９２】
実際の連続接続時間が平均接続時間を超える場合、ユーザ装置制御部５２は、ユーザ装置４がもはや固定ルート７から外れたか、ユーザ装置４が予定した速度で移動しないと判断する。このときユーザ装置制御部５２は、ユーザ装置４の状態を第１状態へ遷移させる状態変更信号を送信部５３へ送信させる。
【００９３】
図１７は、接続時間情報を利用する場合の通信システム１内の処理の説明図である。なお他の実施例においては、下記のオペレーションＡＡ〜ＡＥ、ＣＡ及びＣＢの各オペレーションはステップであってもよい。図１５のオペレーションＡＡ〜ＡＤは、図７を参照して説明した処理のオペレーションＡＡ〜ＡＤと同様である。
【００９４】
オペレーションＡＥにおいて基地局装置２−２のユーザ装置制御部５２は、以下に説明するユーザ装置制御処理を実施する。
【００９５】
図１８は、接続時間情報を利用する場合のユーザ装置制御処理の説明図である。なお他の実施例においては、下記のオペレーションＢＡ〜ＢＦ、ＢＪ及びＢＫの各オペレーションはステップであってもよい。図１８のオペレーションＢＡ〜ＢＦは、図１３を参照して説明した処理のオペレーションＢＡ〜ＢＦと同様である。
【００９６】
オペレーションＢＦの後、処理はオペレーションＢＪへ進む。オペレーションＢＪにおいてユーザ装置制御部５２は、ハンドオーバ元の基地局装置２と速度とに応じて、ユーザ装置４が基地局装置２へ連続して接続された平均接続時間を決定する。ユーザ装置制御部５２は、平均接続時間とユーザ装置４の実際の連続接続時間とを比較する。
【００９７】
実際の連続接続時間が平均接続時間を超える場合（オペレーションＢＪ：Ｙ）、処理はオペレーションＢＫへ進む。実際の連続接続時間が平均接続時間を超えない場合（オペレーションＢＪ：Ｎ）、ユーザ装置制御処理は終了する。
【００９８】
オペレーションＢＫにおいてユーザ装置制御部５２は、ユーザ装置４の状態を第１状態へ遷移させる状態変更信号を送信部５３へ送信させる。
【００９９】
図１７を参照する。オペレーションＢＫによって送信された状態変更信号は、オペレーションＣＡにおいてユーザ装置４の受信部３４によって受信される。状態変更信号が受信された場合、オペレーションＣＢにおいてユーザ装置４の制御部３１は、ユーザ装置４の状態について記憶している状態情報の値を第２状態から第１状態へ遷移させる。
【０１００】
なお、オペレーションＢＪにおいて、実際の連続接続時間が平均接続時間を超えない場合には、図７に示す処理と同様に、オペレーションＡＥのユーザ装置制御処理の後にユーザ装置４がセル６−３へハンドオーバしてよい。
【０１０１】
本実施例によれば、一度固定ルート７上を移動していると判定されたユーザ装置４が固定ルート７から外れたか否かを判定することが可能となる。また、例えばユーザ装置４のユーザが乗車する公共交通機関の運行が乱れ、もはや現在位置や受信品質の予測ができないことを検出することが可能となる。したがって本実施例によれば、例えば基地局装置２が、ユーザ装置４のユーザが固定ルート７上を移動しているという誤った前提に基づいてユーザ装置４を制御したり、サービスを提供することを防止できる。
【０１０２】
次に、基地局装置２によって推定されたユーザ装置４の現在位置に応じて、推定された現在位置にいるユーザ向けのサービスのために提供されるデータを送信する通信システムの構成について説明する。
【０１０３】
図１９は、通信システム１の第２例の構成図である。通信システム１は、図１を参照して説明した通信システム１の構成要素と同様の構成要素を有しており、図１に示す構成要素と同様の構成要素には同じ参照符号を付し、同一の機能については説明を省略する。
【０１０４】
通信システム１は、通信ネットワーク３に接続された情報提供サービスサーバ８を備える。情報提供サービスサーバ８は、基地局装置２からの要求に応答して、ユーザ装置４のユーザ向けのサービスのために提供されるデータを、基地局装置２へ提供する。なお、本実施例の構成要素を後続の他の実施例と組み合わせてもよい。
【０１０５】
図２０は、図１９の通信システム１において使用される基地局装置２の機能ブロック図である。基地局装置２は、先行して説明した他の実施例の構成要素と同様の構成要素を有しており、他の実施例の構成要素と同様の構成要素には同じ参照符号を付し、同一の機能については説明を省略する。なお、本実施例の構成要素を後続の他の実施例と組み合わせてもよい。
【０１０６】
基地局装置２は、サービス取得部５５を備える。上記説明したようにユーザ装置制御部５２は、ユーザ装置４の現在位置を推定する。サービス取得部５５は、ユーザ装置制御部５２により推定された現在位置にいるユーザ装置４向けに提供されるサービスの送信を、情報提供サービスサーバ８に要求する。
【０１０７】
情報提供サービスサーバ８は、サービス取得部５５からの要求に応じて、推定された現在位置のユーザ装置４に提供される予め登録されたサービスのためのデータを、サービス取得部５５へ送信する。サービス取得部５５は、情報提供サービスサーバ８から受信したデータを、送信部５３を介してユーザ装置４へ送信する。
【０１０８】
図２１は、情報提供サービスサーバ８を有する通信システム１内の処理の第３例の説明図である。なお他の実施例においては、下記のオペレーションＡＡ〜ＡＥ及びＤＡ〜ＤＣの各オペレーションはステップであってもよい。図２１のオペレーションＡＡ〜ＡＥは、図７を参照して説明した処理のオペレーションＡＡ〜ＡＥと同様である。また、オペレーションＡＥにおいてユーザ装置制御部５２は、先行する他の実施例と同様にユーザ装置４の現在位置を推定する。
【０１０９】
オペレーションＤＡにおいてサービス取得部５５は、推定された現在位置にいるユーザ装置４向けのサービスの送信を情報提供サービスサーバ８に問い合わせる。オペレーションＤＢにおいて情報提供サービスサーバ８は、推定された現在位置についてユーザ装置４向けに提供するサービスのためのデータを、サービス取得部５５へ送信する。オペレーションＤＣにおいてサービス取得部５５は、情報提供サービスサーバ８から受信したデータをユーザ装置４へ送信する。
【０１１０】
本実施例によれば、基地局装置２はユーザ装置４について推定した現在位置に応じたサービスを提供することが可能となる。
【０１１１】
次に、ルート情報に格納された速度情報、品質情報及び接続時間情報の決定方法の例について説明する。図２２は、基地局装置２の第４例の機能ブロック図である。基地局装置２は、先行して説明した他の実施例の構成要素と同様の構成要素を有しており、他の実施例の構成要素と同様の構成要素には同じ参照符号を付し、同一の機能については説明を省略する。なお、本実施例の構成要素を後続の他の実施例と組み合わせてもよい。
【０１１２】
基地局装置２は、速度測定部５６と、接続時間測定部５７と、ルート情報作成部５８を備える。なお、接続時間情報を作成しない実施例においては接続時間測定部５７を省略してもよい。ルート情報作成部５８は、特許請求の範囲に記載の速度情報生成部、品質情報生成部及び接続時間情報生成部の一例として挙げられる。
【０１１３】
速度測定部５６は、第２状態にあるユーザ装置４からの上りリンク信号のドップラー周波数測定を行うことによりユーザ装置４の速度を測定する。
【０１１４】
固定ルート７が、例えば鉄道の場合のような公共交通機関である場合には、電車は毎日決まった時刻及び決まった速度で運行されているため、毎日ハンドオーバが発生する時刻及び速度は規則的であると考えられる。
【０１１５】
ルート情報作成部５８は、複数の異なる日の同じ時刻にハンドオーバしたユーザ装置４の速度の測定値を平均化する統計処理を行うことにより、各時刻にハンドオーバするユーザ装置４の移動速度を推定する。ルート情報作成部５８は、ハンドオーバ元の基地局装置毎に、各ハンドオーバ発生時刻におけるそれぞれのユーザ装置４の速度を推定することにより速度情報を作成する。
【０１１６】
実際上は、異なる日の同時刻に発生することが期待されるハンドオーバの発生時刻が、運行ダイヤの乱れによって変動することも考えられる。このためルート情報作成部５８は、ハンドオーバの発生時刻の頻度分布を作成し、発生頻度が最も高い時刻を中心とする所定期間内に発生したハンドオーバを同時刻に発生したハンドオーバとみなして、速度の測定値を平均化してもよい。
【０１１７】
接続時間測定部５７は、第２状態にあるユーザ装置４がセル６にハンドオーバしてから他のセルへハンドオーバするまでの間に、ユーザ装置４が基地局装置２へ接続されている時間を測定する。ルート情報作成部５８は、各移動速度のユーザ装置４について、それぞれ複数回測定された接続時間を平均化する統計処理を行うことにより、各移動速度毎の接続時間を推定する。ルート情報作成部５８は、ハンドオーバ元の基地局装置毎に、各移動速度毎の接続時間を推定することにより接続時間情報を作成する。
【０１１８】
受信部５１は、各移動速度のユーザ装置４から、ハンドオーバ発生時から各経過時間が経過した各時刻に測定された受信品質の報告をそれぞれ受信する。ルート情報作成部５８は、移動速度毎及び経過時間毎にそれぞれ複数回報告された受信品質を平均化する統計処理を行うことにより、各移動速度のユーザ装置４の受信品質をハンドオーバからの各経過時間毎に推定する。ルート情報作成部５８は、ハンドオーバ元の基地局装置毎に受信品質を推定することにより品質情報を作成する。
【０１１９】
図２３は、通信システム１内の処理の第４例の説明図である。なお他の実施例においては、下記のオペレーションＡＡ〜ＡＤ及びＥＡ〜ＥＧの各オペレーションはステップであってもよい。図２１のオペレーションＡＡ〜ＡＤは、図７を参照して説明した処理のオペレーションＡＡ〜ＡＤと同様である。
【０１２０】
オペレーションＥＡにおいて接続時間測定部５７は、基地局装置２−２が形成するセル６−２へユーザ装置がハンドオーバした時刻を記録する。オペレーションＥＢにおいてルート情報作成部５８は、ユーザ装置４のハンドオーバ元の基地局装置２−１を記録する。
【０１２１】
オペレーションＥＣにおいて速度測定部５６は、ユーザ装置４の速度を測定する。オペレーションＥＤにおいて受信部５１は、接続中のユーザ装置４から順次送信される受信品質情報を受信する。
【０１２２】
その後ユーザ装置４がセル６−２とセル６−３の境界に近づくことにより、ユーザ装置４のセル６−３へのハンドオーバが開始される。オペレーションＥＥにおいて接続時間測定部５７は、ユーザ装置４のハンドオーバ時刻を判定し、ユーザ装置４が基地局装置２へ接続されていた時間を測定する。オペレーションＥＦにおいて基地局装置２−２及び２−３間のハンドオーバ処理が行われる。
【０１２３】
オペレーションＥＧにおいてルート情報作成部５８は、ハンドオーバ元の基地局装置２−１の識別子、ハンドオーバ開始時刻、速度測定値、接続時間の測定値、ユーザ装置４から報告された受信品質に基づいて、速度情報、接続時間情報、品質情報を作成する。ルート情報作成部５８は、作成したこれらの情報により記憶部５４に記憶されたルート情報を更新する。
【０１２４】
本実施例によれば、実際にハンドオーバが生じた時刻と、ユーザ装置４の移動速度の測定値、受信品質の測定値に基づいて速度情報、接続時間情報、品質情報を作成することができる。このため、通信システム１の運用者が、人手により速度情報、接続時間情報、品質情報を作成する労力が省かれる。また例えば、固定ルート７上を運行する交通機関のダイヤが変更になった場合にも、自動的に速度情報、接続時間情報、品質情報を作成することができる。
【０１２５】
次に、固定ルート７が複数存在する場合の処理について説明する。図２４は、固定ルートとセルの位置関係の第２例の説明図である。図２４に示す固定ルートの配置例は、図２に示した固定ルート７に対応する固定ルート７−１に加えて、セル６−２を通過する他の固定ルート７−２を有する。図２４に示すように、固定ルート７−２は、セル６−４、６−２及び６−５を通過する。セル６−４及び６−５は、セル６−２の隣接セルであり、それぞれ基地局装置２−４及び２−５により形成される。なお、以下の説明において固定ルート７−１及び７−２を総称して「固定ルート７」と表記することがある。
【０１２６】
図２５は、固定ルート７が複数存在する場合のルート情報の説明図である。ルート情報は、各固定ルート７毎に、固定ルート７上を移動し、且つ基地局装置２が形成するセル６へハンドオーバするユーザ装置４のハンドオーバ元の基地局装置を指定する情報を含む。またルート情報は、各固定ルート７毎に、移動方向情報、速度情報、接続時間情報及び／又は品質情報を含んでいてよい。
【０１２７】
図２５の例は、図２４に示すセル配置の場合に基地局装置２−２において記憶されるルート情報の例を示す。ルート情報には、固定ルート７−１が通過する隣接セル６−１及び６−３をそれぞれ形成する基地局装置２−１及び２−３の識別子が記憶される。また、ルート情報には、固定ルート７−２が通過する隣接セル６−４及び６−５をそれぞれ形成する基地局装置２−４及び２−５の識別子が記憶される。ルート情報には、各固定ルート７の各基地局装置２−１、２−３〜２−５毎に、速度情報が含まれている。
【０１２８】
ユーザ装置制御部５２は、上記の処理を各固定ルート７毎に行い、ユーザ装置４の移動速度、現在位置及び／又は受信品質を推定してよい。またユーザ装置制御部５２は、上記の処理を各固定ルート７毎に行い、ユーザ装置４の平均接続時間を特定してよい。
【０１２９】
次に、他の通信システム１の実施例について説明する。上述の通信システム１の実施例では、ユーザ装置４の状態情報、すなわちユーザ装置４が第１状態及び第２状態のいずれにあるかをユーザ装置４が記憶した。しかし、ユーザ装置４の状態情報は、通信システム１に含まれる構成要素のいずれかに記憶されていれば足りる。例えば、いずれかの基地局装置２がユーザ装置４の状態情報を記憶してもよく、通信ネットワーク３のネットワーク構成要素のいずれかがユーザ装置４の状態情報を記憶してもよい。
【０１３０】
以下の通信ネットワーク３のネットワーク構成要素である、ユーザ装置状態記録サーバがユーザ装置４の状態情報を記憶する場合における通信システムの例について説明する。
【０１３１】
図２６は、通信システム１の第３例の構成図である。通信システム１は、図１を参照して説明した通信システム１の構成要素と同様の構成要素を有しており、図１に示す構成要素と同様の構成要素には同じ参照符号を付し、同一の機能については説明を省略する。
【０１３２】
通信システム１は、通信ネットワーク３に接続されたユーザ装置状態記録サーバ９を備える。ユーザ装置状態記録サーバ９は、通信システム１のユーザ装置４の状態情報を記憶する。またはユーザ装置状態記録サーバ９は、第２状態にあるユーザ装置４を記憶する。
【０１３３】
ユーザ装置４がマーカ装置５の傍を通過するとき、ユーザ装置４の通信部３０はユーザ装置４の識別子（ＩＤ）をマーカ装置５に送信する。マーカ装置５は受信した識別子のユーザ装置の状態情報の変更を要求する状態変更要求信号を、通信ネットワーク３を経由してユーザ装置状態記録サーバ９へ送信する。
【０１３４】
ユーザ装置状態記録サーバ９は、状態変更が要求されるユーザ装置４について記憶している状態情報の値が第１状態であるときは、この値を第２状態へ遷移させる。ユーザ装置４について記憶している状態情報の値が第２状態であるときは、この値を第１状態へ遷移させる。
【０１３５】
またはユーザ装置状態記録サーバ９は、ユーザ装置４を記憶しているか否かによって、ユーザ装置４が第２状態か第１状態かを記憶してもよい。この場合、ユーザ装置状態記録サーバ９は、状態変更が要求されるユーザ装置４を記憶していない場合はこのユーザ装置４を記憶する。ユーザ装置状態記録サーバ９は、状態変更が要求されるユーザ装置４を記憶している場合は、このユーザ装置４の記憶を削除する。
【０１３６】
あるユーザ装置４について基地局装置２から状態情報の問い合わせがあった場合、ユーザ装置状態記録サーバ９は、ユーザ装置４の状態情報を基地局装置２へ通知する。
【０１３７】
図２７は、図２６の通信システム１において使用される基地局装置の機能ブロック図である。基地局装置２は、先行して説明した他の実施例の構成要素と同様の構成要素を有しており、他の実施例の構成要素と同様の構成要素には同じ参照符号を付し、同一の機能については説明を省略する。
【０１３８】
基地局装置２は、状態取得部５５を備える。状態取得部５５はユーザ装置４のハンドオーバが発生した場合には、このユーザ装置４の状態情報をユーザ装置状態記録サーバ９に問い合わせる。状態取得部５５がユーザ装置状態記録サーバ９から状態情報を取得した後、ユーザ装置制御部５２は上記と他の実施例と同様の処理を行う。
【０１３９】
図２８は、ユーザ装置状態記録サーバ９を備える通信システム１内の処理の説明図である。以下の説明における基地局装置２、マーカ装置５、セル６及び固定ルート７の配置は、図２に示す配置と同様である。なお他の実施例においては、下記のオペレーションＦＡ〜ＦＩの各オペレーションはステップであってもよい。
【０１４０】
ユーザ装置４は、セル６−１内に位置しており、基地局装置２−１と接続中である。またユーザ装置４は第１状態にある。オペレーションＦＡにおいてユーザ装置４がマーカ装置５−１の傍を通過するとき、ユーザ装置４の通信部３０はユーザ装置４の識別子（ＩＤ）をマーカ装置５−１に送信する。オペレーションＦＢにおいてマーカ装置５−１は、状態変更要求信号をユーザ装置状態記録サーバ９へ送信する。ユーザ装置状態記録サーバ９は、ユーザ装置４の状態についての記憶を第１状態から第２状態へ遷移させる。
【０１４１】
その後、ユーザ装置４はセル６−２内へ移動する。オペレーションＦＣにおいてユーザ装置４のハンドオーバ処理部３２及び基地局装置２−２のハンドオーバ処理部５０は、セル６−１からセル６−２へユーザ装置４がハンドオーバするための処理を実施する。オペレーションＦＤにおいて基地局装置２の状態取得部５５は、ユーザ装置４の状態情報をユーザ装置状態記録サーバ９に問い合わせる。
【０１４２】
オペレーションＦＥにおいてユーザ装置状態記録サーバ９は、ユーザ装置４の状態情報を状態取得部５５へ通知する。オペレーションＦＦにおいてユーザ装置制御部５２は、ユーザ装置制御処理を実施する。ユーザ装置制御処理ＦＦは、上述した他の実施例のユーザ装置制御処理ＡＥと同様であってよい。
【０１４３】
オペレーションＦＧにおいてユーザ装置４がマーカ装置５−１の傍を通過するとき、ユーザ装置４の通信部３０はユーザ装置４の識別子（ＩＤ）をマーカ装置５−１に送信する。オペレーションＦＨにおいてマーカ装置５−１は、状態変更要求信号をユーザ装置状態記録サーバ９へ送信する。ユーザ装置状態記録サーバ９は、ユーザ装置４の状態についての記憶を第２状態から第１状態へ遷移させる。
【０１４４】
本実施例によれば、ユーザ装置４の状態情報をユーザ装置４以外の他の構成要素で管理することが可能となる。このため本実施例によれば、本明細書に記載されるシステム及び方法を実行する際のユーザ装置４側の改変を低減することができる。また、ユーザ装置４は、状態情報を基地局装置２へ送信しないので、無線リソースの使用を節約することが可能となる。
【０１４５】
以上の実施例を含む実施形態に関し、更に以下の付記を開示する。
【０１４６】
（付記１）
基地局装置であって、
移動局装置が固定ルート上の場所を通過したか否かを示す状態情報を受信する受信部と、
前記基地局装置により形成されるセルへハンドオーバする前記移動局装置に関して受信される前記状態情報が、前記固定ルート上の場所を前記移動局装置が通過したことを示す場合に、前記移動局装置が前記固定ルート上を移動中であると判定する判定部と、
を備える基地局装置。
（付記２）
前記固定ルートが通過する隣接セルを形成する基地局装置を指定するルート情報が格納される記憶部を備え、
前記判定部は、更に、前記セルへハンドオーバする前記移動局装置のハンドオーバ元の基地局装置が前記ルート情報において指定される場合に、前記移動局装置が前記固定ルート上を移動中であると判定することを特徴とする付記１に記載の基地局装置。
（付記３）
ハンドオーバの予定発生時刻と各予定発生時刻でハンドオーバする移動局装置の予定速度とを対応付けた速度情報を格納する記憶部を備え、
前記判定部は、ハンドオーバ発生時刻に応じて、前記速度情報に基づき前記移動局装置の移動速度を推定することを特徴とする付記１に記載の基地局装置。
（付記４）
前記判定部は、ハンドオーバ発生時刻からの経過時間と推定された前記移動速度に基づいて前記移動局装置の現在位置を推定することを特徴とする付記３に記載の基地局装置。
（付記５）
推定された前記現在位置に応じて前記移動局装置の動作を制御する制御情報を生成する制御情報生成部と、
前記制御情報を前記移動局装置へ送信する送信部と、
を備える付記４に記載の基地局装置。
（付記６）
推定された前記現在位置に位置する前記移動局装置へ提供するサービスのためのデータを前記移動局装置へ送信する送信部を備える付記４に記載の基地局装置。
(付記７）
前記記憶部には、前記固定ルート上を各移動速度で移動する移動局装置において予定される受信品質をハンドオーバ発生時刻からの経過時間毎に規定する品質情報が格納され、
前記判定部は、前記品質情報に基づき、推定された前記移動速度又はハンドオーバ発生時刻と、ハンドオーバ発生時刻からの経過時間とに応じて、前記移動局装置と基地局装置との間の通信の受信品質を推定することを特徴とする付記３に記載の基地局装置。
（付記８）
推定された前記受信品質に応じて前記移動局装置の動作を制御する制御情報を生成する制御情報生成部と、
前記制御情報を前記移動局装置へ送信する送信部を備える付記７に記載の基地局装置。
（付記９）
前記記憶部には、前記固定ルート上を各移動速度で移動する移動局装置が前記基地局装置に連続して接続することが予定される接続時間を規定する接続時間情報が格納され、
前記判定部は、推定された前記移動速度又はハンドオーバ発生時刻に応じて前記接続時間情報に基づいて規定される接続時間を前記移動局装置の実際の接続時間が超える場合に、前記移動局装置が前記固定ルートから外れていると判定することを特徴とする付記３に記載の基地局装置。
（付記１０）
前記移動局装置の移動速度を測定する速度測定部と、
複数日の同じ時刻にハンドオーバした移動局装置の速度の測定値に基づいて各時刻にハンドオーバする移動局装置の移動速度を推定し、前記速度情報を生成する速度情報生成部と、
を備える付記３に記載の基地局装置。
（付記１１）
前記速度情報生成部は、複数日の同じ時刻にハンドオーバした移動局装置の速度の測定値を平均化することにより前記移動速度の推定を行う、付記１０に記載の基地局装置。
（付記１２）
前記移動局装置の移動速度を測定する速度測定部と、
各移動速度の移動局装置において逐次測定された受信品質に基づいて、各移動速度の移動局装置についてハンドオーバ発生時刻からの経過時間毎の受信品質を推定することにより、前記品質情報を生成する品質情報生成部と、
を備える付記７に記載の基地局装置。
（付記１３）
前記品質情報生成部は、各移動速度毎及びハンドオーバ発生時刻からの経過時間毎に複数回測定された受信品質を平均化することにより、前記受信品質の推定を行う付記１２に記載の基地局装置。
（付記１４）
前記移動局装置の移動速度を測定する速度測定部と、
前記固定ルート上を移動する移動局装置が前記基地局装置に連続して接続する接続時間を測定する接続時間測定部と、
各移動速度の移動局装置について測定された接続時間に基づいて各移動速度毎の接続時間を推定し、前記接続時間情報を生成する接続時間情報生成部と、
を備える付記９に記載の基地局装置。
（付記１５）
前記接続時間情報生成部は、各移動速度毎に、複数回測定された接続時間を平均化することにより、前記接続時間の推定を行う付記１４に記載の基地局装置。
（付記１６）
固定ルート上の場所に設置されたマーカ装置から送信された制御情報を受信する通信部と、
前記制御情報を受信することにより状態情報の値を遷移させる制御部と、
ハンドオーバ時に、ハンドオーバ先の基地局装置へ前記状態情報を送信する送信部と、
を備える移動局装置。
（付記１７）
基地局装置と移動局装置を有する通信システムであって、
前記基地局装置は、
前記移動局装置が固定ルート上の場所を通過したか否かを示す状態情報を受信する受信部と、
前記基地局装置により形成されるセルへハンドオーバする前記移動局装置に関して受信される前記状態情報が、前記固定ルート上の場所を前記移動局装置が通過したことを示す場合に、前記移動局装置が前記固定ルート上を移動中であると判定する判定部と、
を備える通信システム。
（付記１８）
基地局装置と移動局装置を有する通信システムであって、
前記移動局装置は、
前記固定ルート上の場所に設置されたマーカ装置から送信された制御情報を受信する通信部と、
前記制御情報を受信することにより状態情報の値を遷移させる制御部と、
ハンドオーバ時に、ハンドオーバ先の基地局装置へ前記状態情報を送信する送信部と、
を備える通信システム。
（付記１９）
移動局装置が固定ルート上の場所を通過したか否かを示す状態情報を基地局装置にて受信し、
前記基地局装置により形成されるセルへハンドオーバする前記移動局装置に関して受信した前記状態情報が、前記固定ルート上の場所を前記移動局装置が通過したことを示す場合に、前記移動局装置が前記固定ルート上を移動中であると判定する、
ことを特徴とする通信方法。
（付記２０）
固定ルート上の場所に設置されたマーカ装置から送信された制御情報を、移動局装置にて受信し、
前記制御情報を受信することにより状態情報の値を遷移させ、
ハンドオーバ時に、ハンドオーバ先の基地局装置へ前記状態情報を送信する、
ことを特徴とする通信方法。
【符号の説明】
【０１４７】
１    通信システム
２、２−１、２−２    基地局装置
３    通信ネットワーク
４    ユーザ装置
５、５−１、５−２    マーカ装置
６、６−１、６−２    セル
７、７−１、７−２    固定ルート
【図１】
2012114570.tif 000003
【図２】
2012114570.tif 000004
【図３】
2012114570.tif 000005
【図４】
2012114570.tif 000006
【図５】
2012114570.tif 000007
【図６】
2012114570.tif 000008
【図７】
2012114570.tif 000009
【図８】
2012114570.tif 000010
【図９】
2012114570.tif 000011
【図１０】
2012114570.tif 000012
【図１１】
2012114570.tif 000013
【図１２】
2012114570.tif 000014
【図１３】
2012114570.tif 000015
【図１４】
2012114570.tif 000016
【図１５】
2012114570.tif 000017
【図１６】
2012114570.tif 000018
【図１７】
2012114570.tif 000019
【図１８】
2012114570.tif 000020
【図１９】
2012114570.tif 000021
【図２０】
2012114570.tif 000022
【図２１】
2012114570.tif 000023
【図２２】
2012114570.tif 000024
【図２３】
2012114570.tif 000025
【図２４】
2012114570.tif 000026
【図２５】
2012114570.tif 000027
【図２６】
2012114570.tif 000028
【図２７】
2012114570.tif 000029
【図２８】
2012114570.tif 000030